(57)【要約】【課題】転写部を装置本体に対し脱着するときの位置決め構成の小型化と操作性の向上を図る。【解決手段】カラー複写機は、感光ドラム４に形成されたトナー像を、中間転写ベルト７１に転写する転写部７と、この転写部７に設けられた２つのボス１６，１７と、この２つのボス１６，１７のうち、一方のボス１６を案内して該ボス１６を垂直方向に位置決めするレール２１と、他方のボス１７を案内して該ボス１７を垂直方向及び案内方向に位置決めするレール２２とを有している。そして、アーム２７を回動操作することにより、一方のボス１６を転写部７の移動方向に対し斜め方向に移動させて、該一方のボス１６の垂直方向を位置決めすると共に、これと略同時に、他方のボス１７の垂直方向及び案内方向を位置決めし、転写部７を感光ドラム４に接した状態と離間した状態とに切換え自在としている。【選択図】　　　図３
2004053819.tif 000002
【特許請求の範囲】
【請求項１】
像担持体上に形成されたトナー像を、前記像担持体に対して接離自在な転写面を有するベルト状転写体により前記転写面、又は前記ベルト状転写体と前記像担持体との間に挟持された転写媒体のいずれかに転写する転写手段と、前記転写手段が前記像担持体と離間状態にあるときに、前記転写手段を前記ベルト状転写体の搬送方向に挿抜可能に前記転写面と略平行な案内方向に案内する案内手段と、を備えた画像形成装置において、
前記転写手段の挿入方向の上流側及び下流側に設けられ、前記案内手段により案内される少なくとも２つの被案内部と、
前記案内手段を構成すると共に、前記少なくとも２つの被案内部のうち、いずれか一の被案内部を案内して該いずれか一の被案内部の少なくとも前記案内方向に対する垂直方向を位置決めする第１の案内部材と、いずれか他の被案内部を案内して該いずれか他の被案内部の前記垂直方向及び前記案内方向を位置決めする第２の案内部材と、
前記いずれか一の被案内部を、前記転写手段の移動方向に対し斜め方向に移動操作して、前記いずれか一の被案内部の少なくとも前記垂直方向を位置決めすると略同時に、前記いずれか他の被案内部の前記垂直方向及び前記案内方向を位置決めし、前記転写手段を前記像担持体に接した状態と離間した状態とに切換え自在な加圧手段と、を備えている、
ことを特徴とする画像形成装置。
【請求項２】
前記第１の案内部材は、前記いずれか一の被案内部を前記転写面と略平行に案内する平行部と、前記像担持体に接近する方向に案内する斜面部と、少なくとも前記垂直方向の位置を決める上下方向位置決め部と、を有する、
ことを特徴とする請求項１記載の画像形成装置。
【請求項３】
前記第２の案内部材は、前記いずれか他の被案内部を前記転写面と略平行に案内する平行部と、前記像担持体に接近する方向に案内する斜面部と、前記垂直方向の位置を決める上下方向位置決め部と、前記案内方向の位置を決める左右方向位置決め部と、を有する、
ことを特徴とする請求項１記載の画像形成装置。
【請求項４】
前記加圧手段は、前記いずれか一の被案内部に当接して該いずれか一の被案内部を加圧する加圧部材と、該加圧部材を介して前記いずれか一の被案内部を付勢する付勢部材と、を有する、
ことを特徴とする請求項１記載の画像形成装置。
【請求項５】
前記転写手段は、前記加圧手段による前記いずれか一の被案内部への加圧が解除されたときに、前記転写手段の自重にて前記斜面部を介して前記像担持体と離間する方向に案内される、
ことを特徴とする請求項１ないし４のいずれかに記載の画像形成装置。
【発明の詳細な説明】
【０００１】
【発明の属する技術分野】
本発明は、複写機、プリンタなどの画像形成装置に関し、特に、ベルト状転写体を用いた転写手段を、装置本体の側面から脱着する構成とした画像形成装置に関する。
【０００２】
【従来の技術】
図９に示すように、中間転写ベルトを用いたカラー複写機においては、各色に対応して配置された複数の感光ドラム４上に静電潜像が形成され、該静電潜像は現像部６においてトナー像に現像され、夫々の転写部（図示せず）において中間転写ベルト７１上に転写（一次転写）される。該転写（一次転写）されたトナー像は、二次転写部８において、給紙部から搬送された転写紙に一括転写（二次転写）される。トナー像が転写された転写紙は、図示しない定着部において定着され、排紙部から装置外へと搬出される。
【０００３】
なお、これと類似した構成として、感光ドラム４上のトナー像を中間転写ベルト７１上に転写するのではなく、転写ベルトに転写紙を吸着しつつ搬送し、該転写紙に直接転写する方式のものも存在する。
【０００４】
ところで、中間転写ベルト７１は、感光ドラム４、一次転写部（図示せず）、二次転写部８、その他のクリーナ部等と接触しつつ画像形成を行うため、使用するにつれて表面が削れたり、各転写部にて高圧を印加されその電気的特性が変化するため、適当な時期に交換が必要である。また、転写紙に直接転写する方式においても、転写紙や転写ブレードとの接触による削れ、電気特性の変化などによって交換が必要とされる。
【０００５】
従来、このような中間転写ベルト７１や転写ベルトの交換方法として、図９に示したように、中間転写ベルト７１を複数のローラで張架した転写部７を、その搬送方向と略直交する方向（矢印Ｂ方向）に移動させ、装置外に引き出して行っていた。
【０００６】
そして、中間転写ベルト７１に接して感光ドラム４や現像部６等の画像形成部が複数並設された、いわゆるタンデム型のプリンタにおいては、感光ドラム４や現像部６、及びトナーボトル等をメンテナンスしたり交換するときには、転写部７を、感光ドラム４の中心軸に略平行な方向（装置手前側、すなわち矢印Ｂ方向）に取り出さねばならなかった。しかし、転写部７を装置手前側に取り出そうとすると、装置本体２’に取出口としての大きな穴２”を開口しなければならず、該装置本体２’の剛性を保持するのが困難であった。このため、装置本体が十分な大きさを有する場合を除き、この方式を採用するのは困難とされている。
【０００７】
一方、小型化を企図するカラー複写機等においては、例えば、図１０に示すように、中間転写ベルト７１の搬送方向に略平行な案内方向（装置の左右側、矢印Ｃ方向）から転写部７を脱着する方式も採用されている。
【０００８】
そして、前述したいずれの方式を採る場合においても、転写部７を取り出すときは、まず中間転写ベルト７１と感光ドラム４とをある程度離間させた後、該中間転写ベルト７１を所定の方向に引き抜くことによって行われる。
【０００９】
図１１（ａ）（ｂ）には、転写部７を装置本体に対し案内方向（矢印Ｃ方向）の上流側及び下流側に引抜くときに、中間転写ベルト７１と感光ドラム４とを離間する場合の従来の実施の形態を示している。なお、後述するカム１２７，１２８、ボス部１１６，１１７、位置決め部材１５１、１６１、リンク１１９については、手前側のものしか図示していないが、実際は図の前後側（表裏両面側）に夫々１対存在している。
【００１０】
同図において、転写部７は中間転写ベルト７１を含み、該中間転写ベルト７１は、感光ドラム４と接触する面（転写面７０）を略平面に保つようにして、ボス部１１６，１１７がカム１２７，１２８によって押し上げられ、更に位置決め部材１５１、１６１に当接されて位置決めされている。なお、前記一方のボス部１１７は、転写面７０と略平行な案内方向に関しても位置決め部材１６１に係合されていて、この位置決め部材１６１により転写部７の案内方向の位置決めが行われている。
【００１１】
次いで、転写部７を装置本体から引抜くときは、まずレバー１２５を矢印方向（時計方向）に回すと、該レバー１２５の回転は、軸１２６に一体的に連結されたカム１２７に伝達され、更に、該カム１２７からリンク１１９を介してカム１２８が回転する。そして、これらのカム１２７，１２８が回転し、ボス部１１６，１１７による押圧を解除することにより、転写部７が全体として降下し、中間転写ベルト７１の転写面７０と感光ドラム４とが離間される。これにより、転写部７の装置本体からの引抜き時に、中間転写ベルト７１と感光ドラム４とが摺擦して双方に傷等が発生するのを防止する。
【００１２】
転写部７が降下すると、ボス部１１６，１１７は、装置本体に設けられたレール１２１、１２２に係合する高さ位置となり、この状態で、転写部７の右側に設けられたハンドル１３０を矢印Ｃ方向の右に引くことによって、転写部７はボス部１１６，１１７がレール１２１，１２２に案内されつつ、装置本体の右側に取り出される。
【００１３】
また、転写部７を装置本体に装着するときは、ボス部１１６，１１７を右側からレール１２１，１２２に沿って挿入し、レバー１２５を前記と反対方向に操作することによりカム１２７，１２８を回転させる。このカム１２７，１２８の回転により、該カム１２７，１２８がボス部１１６，１１７を下から押圧して転写部７を上昇させるため、中間転写ベルト７１の転写面７０が感光ドラム４に接触した状態で位置決めされる。
【００１４】
【発明が解決しようとする課題】
ところで、中間転写ベルト７１を装置本体に位置決めするためのボス部１１６，１１７は、転写面７０を平面に保持する機能を有することから、該転写面７０の挿入方向の端部近くに設けるのが望ましい。このため、前述のように小型化を企図する装置においては、本体の両端部近くに設けられる。また、転写面７０を平面に保持するためには、同一平面内に３点のボス部があれば足りるが、転写部７が必ずしも剛体ではないことを考慮すると、少なくとも４点のボス部を装置本体の４隅近くに配置するのが望ましい。
【００１５】
従って、ボス部１１６，１１７を押し上げるためのリンク機構（カム１２７，１２８、リンク１１９）は、装置本体２’（図１０参照）の前後方向（Ｃ方向と直交方向）の内側に略装置本体の全幅にわたって設けられている。このため、装置本体２’の内側において、リンク機構（１２７，１２８，１１９）の動作範囲内には他の機構部品を配置することができず、このため装置の小型化に反するという課題があった。
【００１６】
更には、装置本体２’の内側に複雑なリンク機構を配置することは、装置の組立性を低下させたり、あるいは、機構部の故障等に対するメンテナンス性を阻害する等の不具合が生じるおそれがあった。
【００１７】
この場合、各カム１２７，１２８の夫々に電動モータなどの駆動源を接続して、カム１２７，１２８を上下させる構成とすれば、上記のような課題は解決されるが、独立した電動モータを設けることはコストアップを招く。また、装置本体の他の駆動源から駆動電源を接続することは、本体駆動のトルクアップによる電動モータのコストアップや消費電力アップを招くため好ましくない。
【００１８】
このような課題を解決する構成として、例えばレール（１２１に相当）に斜面形状を設け、転写ベルトの挿入方向からの加圧で該転写ベルトを所定の位置に位置決めするような構成も提案されている（特開２０００−２７５９８７号公報）。
【００１９】
この従来例によると、構成は簡略であるが、装置本体の手前側（前後方向）に引き抜かなければならない感光ドラムや現像器等が、メンテナンス時において転写ベルトとの離間を必要とするときは、装置本体の側面方向（左右方向）から転写ベルトの加圧を解除しなければならず、そのために本体側面方向に余分なスペースを必要とするなどの不具合があった。
【００２０】
本発明は、斯かる課題を解決するためになされたもので、その目的とするところは、転写部を装置本体に対し脱着するときの位置決め構成の小型化と操作性の向上を図り得る画像形成装置を提供することにある。
【００２１】
【課題を解決するための手段】
前記目的を達成するため、請求項１記載の発明は、像担持体上に形成されたトナー像を、前記像担持体に対して接離自在な転写面を有するベルト状転写体により前記転写面、又は前記ベルト状転写体と前記像担持体との間に挟持された転写媒体のいずれかに転写する転写手段と、前記転写手段が前記像担持体と離間状態にあるときに、前記転写手段を前記ベルト状転写体の搬送方向に挿抜可能に前記転写面と略平行な案内方向に案内する案内手段と、を備えた画像形成装置において、
前記転写手段の挿入方向の上流側及び下流側に設けられ、前記案内手段により案内される少なくとも２つの被案内部と、
前記案内手段を構成すると共に、前記少なくとも２つの被案内部のうち、いずれか一の被案内部を案内して該いずれか一の被案内部の少なくとも前記案内方向に対する垂直方向を位置決めする第１の案内部材と、いずれか他の被案内部を案内して該いずれか他の被案内部の前記垂直方向及び前記案内方向を位置決めする第２の案内部材と、
前記いずれか一の被案内部を、前記転写手段の移動方向に対し斜め方向に移動操作して、前記いずれか一の被案内部の少なくとも前記垂直方向を位置決めすると略同時に、前記いずれか他の被案内部の前記垂直方向及び前記案内方向を位置決めし、前記転写手段を前記像担持体に接した状態と離間した状態とに切換え自在な加圧手段と、を備えていることを特徴とする。
【００２２】
請求項２記載の発明は、請求項１記載の画像形成装置において、前記第１の案内部材は、前記いずれか一の被案内部を前記転写面と略平行に案内する平行部と、前記像担持体に接近する方向に案内する斜面部と、少なくとも前記垂直方向の位置を決める上下方向位置決め部と、を有することを特徴とする。
【００２３】
請求項３記載の発明は、請求項１記載の画像形成装置において、前記第２の案内部材は、前記いずれか他の被案内部を前記転写面と略平行に案内する平行部と、前記像担持体に接近する方向に案内する斜面部と、前記垂直方向の位置を決める上下方向位置決め部と、前記案内方向の位置を決める左右方向位置決め部と、を有することを特徴とする。
【００２４】
請求項４記載の発明は、請求項１記載の画像形成装置において、前記加圧手段は、前記いずれか一の被案内部に当接して該いずれか一の被案内部を加圧する加圧部材と、該加圧部材を介して前記いずれか一の被案内部を付勢する付勢部材と、を有することを特徴とする。
【００２５】
請求項５記載の発明は、請求項１ないし４のいずれかに記載の画像形成装置において、前記転写手段は、前記加圧手段による前記いずれか一の被案内部への加圧が解除されたときに、前記転写手段の自重にて前記斜面部を介して前記像担持体と離間する方向に案内されることを特徴とする。
【００２６】
【発明の実施の形態】
以下、図面に基づき本発明の実施の形態を説明する。
【００２７】
［第１の実施の形態］
図１は、一般的な中間転写ベルトを用いたカラー複写機の断面図である。
【００２８】
このカラー複写機は、リーダ部１とプリンタ部２とを有し、リーダ部１において読取られた画像情報は、ＣＣＤ（電荷結合素子）１’によって電子信号に変換され、色分解等の処理が施されてプリンタ部２に送られる。
【００２９】
プリンタ部２には、Ｙ（イエロー）、Ｍ（マゼンタ）、Ｃ（シアン）、Ｂｋ（ブラック）の各色の画像を形成する各画像形成部を有し、該各画像形成部には、夫々像担持体としての感光ドラム４が設けられていて、この感光ドラム４が一列に配置されている。感光ドラム４の周囲には、帯電器５、発光素子３、現像部６が夫々設置されている。感光ドラム４は、本実施の形態では、アルミニウム製のドラム基体上に光導電層を有しており、図示しない駆動装置によって矢印方向に所定のプロセススピードで回転駆動される。
【００３０】
そして、プリンタ部２では、リーダ部１から送られた電子信号に基づき、前述した各色のレーザー、ＬＥＤ等の発光素子３を発光させ、帯電器５によって表面に電荷を付与された感光ドラム４に照射することにより、該感光ドラム４上に静電潜像を形成する。この静電潜像は、現像部６においてトナー像に現像され、中間転写ベルト（ベルト状転写体）７１と転写ブレード７５を有する転写部（転写手段）７において該中間転写ベルト７１上に転写される。
【００３１】
中間転写ベルト７１は、従動ローラ７２と駆動ローラ７３、及びテンションローラ７４に張架された半導電性の無端状樹脂フィルムから成り、駆動ローラ７３によって矢印Ａ方向に回転させられている。そして、各転写ブレード７５を順次通過して中間転写ベルト７１上に重畳転写（一次転写）されたトナー像は、二次転写部８において、カセット５１ａ，５１ｂや手差しトレイ５１ｃを有する給紙部５０から搬送された転写紙Ｐ（転写媒体）に一括転写（二次転写）される。
【００３２】
トナー像が転写された転写紙Ｐは、定着部９において加圧加熱により定着され、排紙部１０から装置本体外へと搬出される。また、２次転写部８において、転写紙Ｐに転写しきれないで中間転写ベルト７１に残留しているトナー（残トナー）は、二次転写部８の下流側のクリーナ部１１において掻き取られ、廃トナーとして蓄積あるいは排出される。
【００３３】
図２は、画像形成装置の転写部及びその位置決め機構を示す斜視図である。
【００３４】
転写部７には、中間転写ベルト７１における感光ドラム４と対向する転写面７０の端部近くにおいて、一の被案内部としての左側のボス１６と、他の被案内部としての右側のボス１７が突設されている。すなわち、これら２本のボス１６，１７は、転写部７の装置本体への案内方向（Ｃ−Ｃ’方向）の下流側と上流側の端部において、前後方向（Ｂ−Ｂ’方向）に向けて突設されている。
【００３５】
また、装置本体２’の内側には、前述した左側のボス１６と右側のボス１７を転写部７の引抜き方向（Ｃ方向）及び挿入方向（Ｃ’方向）に案内可能に、案内手段２０が設けられている。この案内手段２０は、第１の案内部材としてのレール２１と、このレール２１と一体的に形成された第２の案内部材としてのレール２２とから構成されている。また、転写部７の挿入方向（Ｃ方向）の下流側の近傍には、装置本体を前後方向（Ｂ方向）に貫通するように軸２６が延設されていて、該軸２６の手前側にはレバー２５が固定されている。更に、軸２６の長手方向の両端側で、かつ本体フレーム２０１の内側には、アーム（加圧部材）２７が軸２６に回動可能に軸着されている。
【００３６】
このアーム２７と軸２６との間には、捩りコイルバネ（付勢部材）２９が装着されていて、該アーム２７が所定の位置で停止したのち、更にレバー２５を介して軸２６を回転させることにより、アーム２７を前記所定位置に所定の力で保持することができるようになっている。そして、本実施の形態では、前記レバー２５とアーム２７、及び捩りコイルバネ２９で加圧手段が構成されている。
【００３７】
図３に示すように、前記レール２１は、左側のボス１６を転写部７の案内方向に案内して、該ボス１６の少なくとも前記案内方向に対する垂直方向を位置決めするもので、ボス１６を転写面７０と略平行に案内方向に案内する平行部２１０と、ボス１６を垂直方向に位置決めする上下位置決め部２１１と、前記平行部２１０から連続して約４５度の角度で上昇して感光ドラム４に接近する方向に案内する斜面部２１３とを有している。
【００３８】
また、前記レール２２は、右側のボス１７を転写部７の案内方向に案内して、該ボス１７の垂直方向及び案内方向を位置決めするもので、ボス１７を転写面７０と略平行に案内する平行部２２０と、ボス１７を垂直方向に位置決めする上下位置決め部２２１と、前記平行部２２０から連続して約４５度の角度で上昇して感光ドラム４に接近する方向に案内する斜面部２２３と、ボス１７の案内方向を位置決めする左右位置決め部２２４とを有している。
【００３９】
なお、本実施の形態では、一方のレール２１には左右位置決め部を形成せず、他方のレール２２に左右位置決め部２２４を形成した場合について説明したが、これに限らず、例えば、一方のレール２１に左右位置決め部を形成し、他方のレール２２に左右位置決め部２２４を形成しないようにしても良いし、更に、例えば、一方のレール２１と他方のレール２２の双方に左右位置決め部を形成しても良い。
【００４０】
次に、図３〜図７に基づき、本実施の形態における転写部７の着脱動作を説明する。
【００４１】
転写部７を装置本体２’に挿入するときは、装置本体の外装面に設けられた図示しない開閉扉を開けた後、本体右側（図の右側）からボス１６をレール２１に係合させるように挿入すると共に、ボス１７をレール２２に係合させるように挿入する（図３参照）。そして、ボス１６がアーム２７の回動範囲内まで図の左方向に移動した時点で、レバー２５を軸２６を中心として反時計方向（矢印方向）に回動操作することにより、アーム２７が同方向に回動する。このとき、アーム２７は、その支点と作用点の関係がボス１６を斜め上方の約４５度の方向（図４の矢印Ｅ方向）に移動させるように設定されている。
【００４２】
こうして、転写部７は、アーム２７から受ける力によって全体として図の左側に移動していくが、右側のボス１７がレール２２の斜面部２２３に接するようになると、該ボス１７は次に該斜面部２２３に沿って左上へと上昇していく（図５参照）。続いて、アーム２７を回動させ、左側のボス１６が上下位置決め部２１１に当接すると、ボス１６は該上下位置決め部２１１に沿って左方向へと移動する（図６参照）。
【００４３】
更に、アーム２７を回動させることで、右側のボス１７が上下位置決め部２２１及び左右位置決め部２２４に当接した時点で、転写部７は上下左右の位置決めがされる（図７参照）。こうして、転写部７が位置決めされると、アーム２７は回転しなくなるが、レバー２５及び軸２６をさらに角度θだけ回転させることにより、アーム２７と軸２６の間の捩りコイルバネ２９によって、アーム２７の位置を保持する力が作用する。レバー２５は、所定角度回転した後、図示しないロック部材によってその位置が固定される。
【００４４】
一方、転写部７を装置本体２’から引抜くときは、図示しないロック部材を解除し、レバー２５を図７の時計回りに回転させることにより、該転写部７は左上方向への押圧を解除され、ボス１６側が転写部７の自重で降下し、ボス１６が斜面部２１３に沿って降下することにより、転写部７の全体が挿入方向と逆方向に移動する。これと略同時に、ボス１７が上下位置決め部２２１から外れて転写部７の自重により斜面部２２３に沿って右下方向に降下し、転写部７の全体が感光ドラム４から離間する。従って、感光ドラム４などの交換やメンテナンス作業は、この状態において行うことができる。また、転写部７を装置本体から引抜くときは、該転写部７の右側に設けられたハンドル（図示せず）等を引くことにより、レール２１，２２に沿って転写部７が引き出される。
【００４５】
このような構成により、図２に示したように、転写部７の挿抜および位置決め機構の可動部品は、転写面７０の図面左側近傍に設けられた軸２６及びアーム２７だけとなり、装置本体２’の内側の他の部分には、他の機構部品を配置することが可能となり、装置本体の小型化及びコストダウンが図られる。また、上述したコンパクトな位置決め構成でありながら、本体手前側のレバー２５で転写部７の挿抜が可能となる。更に、アーム２７による加圧を解除するだけで転写部７が自重により降下し、感光ドラム４から離間するので、感光ドラム４や現像部６のメンテナンス、交換などの時には、装置本体の前面側からの操作するだけで転写部７の離間、感光ドラム４、現像部６の交換などが可能であり、操作性が良い。また、転写部７の加圧を解除するために、側面から操作する必要もなく、操作のためのスペースを確保する必要もない等の利点を有する。
【００４６】
［第２の実施の形態］
図８は、本発明の第２の実施の形態を示す図である。
【００４７】
同図において、転写部７には、中間転写ベルト７１と感光ドラム４とが対向する転写面７０の端部近くに、被案内部としてのボス１６，１７が案内方向の上流及び下流側に設けられている。装置本体２’の内側には、前記ボス１６，１７に夫々対応して案内手段３０が設けられている。この案内手段３０は、第２の案内部材としてのレール３１と、第１の案内部材としてのレール３２とから構成されている。
【００４８】
本実施の形態においては、前記レール３１には、ボス１６を転写面７０と略平行に案内方向に案内する平行部３１０と、ボス１６を垂直方向に位置決めする上下位置決め部３１１と、平行部３１０から連続して約４５度の角度で上昇する斜面部３１３と、ボス１６の案内方向を位置決める左右位置決め部３１４とが形成されている。
【００４９】
また、前記レール３２には、ボス１７を転写面７０と略平行に案内方向に案内する平行部３２０と、ボス１７の垂直方向を位置決めする上下位置決め部３２１と、平行部３２０から連続して約４５度の角度で上昇する斜面部３２３とが形成されている。そして、前述したレバー２５、軸２６、アーム２７に相当するレバー３５、軸３６、アーム３７は、ボス１７の近傍に設けられ、該ボス１７を斜め上方（Ｆ方向）に加圧する。
【００５０】
このように、加圧レバー３５は、転写部７の挿入方向の上流側にも設けることができる。このとき、本実施の形態のように、加圧レバー３５によって加圧されるボス１７を、垂直方向のみを位置決めし、反対側のボス１６を垂直方向及び案内方向に位置決めすることで、加圧レバー３５によって片側のボス１７にのみ加えられる加圧力を両方のボス１６，１７に及ぼすことができる。
【００５１】
なお、本実施の形態では、一方のレール３１に左右位置決め部３１４を形成し、他方のレール３２には左右位置決め部を形成しない場合について説明したが、これに限らず、例えば、一方のレール３１に左右位置決め部を形成せず、他方のレール３２に左右位置決め部を形成しても良いし、更に、例えば、一方のレール３１と他方のレール３２の双方に左右位置決め部を形成しても良い。
【００５２】
【発明の効果】
以上説明したように、本発明によれば、装置本体の内側に複雑なリンク機構や、電動モータなどの高価な部品を設けることなく、像担持体に接する転写面を有する転写手段を簡単に挿抜する画像形成装置を得ることができる。
【００５３】
また、本発明によれば、転写手段の移動方向と略直交する方向から転写手段の挿抜動作が可能であり、転写手段を加圧操作又は加圧解除操作するのみで該転写手段を像担持体から離間することができるので、タンデム系の像担持体や現像器など転写手段の挿入方向を含む面と略直交する方向からでも、容易にメンテナンスを行うことができる。
【図面の簡単な説明】
【図１】本発明が適用された中間転写ベルト式のカラー複写機の断面図である。
【図２】同上の転写部及びその案内手段を示す斜視図である。
【図３】転写部が感光ドラムから離間した状態を示す図である。
【図４】図３の状態から、アームを回転させて左側のボスを斜め上方に加圧した状態を示す図である。
【図５】図４の状態から、アームを回転させて左右のボスを斜め上方に移動させる状態を示す図である。
【図６】図５の状態から、アームを回転させて左右のボスを上下位置決め部に当接させた状態を示す図である。
【図７】図６の状態から、アームを回転させて左右のボスを上下位置決め部に当接させながら、右側のボスを左右位置決め部に当接させた状態を示す図である。
【図８】転写部が感光ドラムに接した状態の他の実施の形態を示す図である。
【図９】装置本体に対し、転写部を前後方向に挿抜可能としたカラー複写機の従来例を示す斜視図である。
【図１０】装置本体に対し、転写部を案内方向に挿抜可能としたカラー複写機の従来例を示す斜視図である。
【図１１】（ａ）は、転写部を装置本体の案内方向に引抜くときに、転写部と感光ドラムとが接した状態の従来例を示す図、（ｂ）は、転写部と感光ドラムとが離間した状態の従来例を示す図である。
【符号の説明】
１　　　　リーダ部
２　　　　プリンタ部
２’　　　装置本体
４　　　　感光ドラム（像担持体）
５　　　　帯電器
６　　　　現像部
７　　　　転写部（転写手段）
７０　　　転写面
７１　　　中間転写ベルト（ベルト状転写体）
７５　　　転写ブレード
１６，１７　　　ボス（被案内部）
２０，３０　　　案内手段
２１　　　レール（第１の案内部材）
２１０　　平行部
２１１　　上下位置決め部
２１３　　斜面部
２２　　　レール（第２の案内部材）
２２０　　平行部
２２１　　上下位置決め部
２２３　　斜面部
２２４　　左右位置決め部
２５，３５　　　レバー
２６，３６　　　軸
２７，３７　　　アーム（加圧部材）
２９　　　捩りコイルバネ（付勢部材）
３１　　　レール（第２の案内部材）
３１０　　平行部
３１１　　上下位置決め部
３１３　　斜面部
３１４　　左右位置決め部
３２　　　レール（第１の案内部材）
３２０　　平行部
３２１　　上下位置決め部
３２３　　斜面部
Ｐ　　　　転写紙（転写媒体）
【図１】
2004053819.tif 000003
【図２】
2004053819.tif 000004
【図３】
2004053819.tif 000005
【図４】
2004053819.tif 000006
【図５】
2004053819.tif 000007
【図６】
2004053819.tif 000008
【図７】
2004053819.tif 000009
【図８】
2004053819.tif 000010
【図９】
2004053819.tif 000011
【図１０】
2004053819.tif 000012
【図１１】
2004053819.tif 000013